(57)【要約】【課題】光源と導光板との間のクリアランスの変化量を低減することによりバックライト光の光学特性を安定化させることが可能な液晶表示モジュールを提供する。【解決手段】この液晶表示モジュール４０は、液晶表示セル６０と、ＬＥＤ５１が実装される実装面５２ａを含むガラスエポキシ基板５２と、凹部からなる第１係合部５３０が形成される導光板５３と、導光板５３の第１係合部５３０と当接することにより係合する凸部からなる第２係合部４２０が形成され、ガラスエポキシ基板５２および導光板５３を保持するリアフレーム４２とを備え、第１係合部５３０および第２係合部４２０は、導光板５３が膨張または収縮した際に導光板５３の膨張または収縮に応じて第１係合部５３０をガラスエポキシ基板５２の実装面５２ａに対して直交する方向に移動させることが可能な形状に形成されている。【選択図】図６
2012208239.tif 000002
【特許請求の範囲】
【請求項１】
液晶表示セルと、
光源が実装される実装面を含む基板と、
凹部または凸部のいずれか一方からなる第１係合部が形成され、前記光源から入射された光を前記液晶表示セルに導光する導光板と、
前記導光板の第１係合部と当接することにより係合する凹部または凸部のいずれか他方からなる第２係合部が形成され、前記基板および前記導光板を保持する保持部材とを備え、
前記導光板の第１係合部および前記保持部材の第２係合部の少なくとも一方は、前記導光板が膨張または収縮した際に前記導光板の膨張または収縮に応じて前記導光板の第１係合部を前記基板の実装面に対して直交する方向に移動させることが可能な形状に形成されている、液晶表示モジュール。
【請求項２】
前記導光板の第１係合部および前記保持部材の第２係合部の少なくとも一方は、前記導光板が膨張した際に前記導光板の膨張に応じて前記導光板の第１係合部を前記基板の実装面から離れる方向に移動させるとともに、前記導光板が収縮した際に前記導光板の収縮に応じて前記導光板の第１係合部を前記基板の実装面に近づく方向に移動させることが可能な形状に形成されている、請求項１に記載の液晶表示モジュール。
【請求項３】
前記導光板は、前記基板の実装面に対して上方に配置されており、
前記導光板の第１係合部および前記保持部材の第２係合部の少なくとも一方の前記第１係合部と前記第２係合部とが互いに係合した際に前記導光板の自重により当接する部分が、前記導光板が膨張または収縮した際に前記導光板の膨張または収縮に応じて前記導光板の第１係合部を前記基板の実装面に対して上方または下方に移動させることが可能な形状の部分を含む、請求項１または２に記載の液晶表示モジュール。
【請求項４】
前記導光板の第１係合部および前記保持部材の第２係合部は、それぞれ、前記導光板が膨張または収縮している状態において互いに係合しながら当接する円弧形状の部分を含み、
前記導光板の第１係合部の円弧形状の部分の曲率半径は、前記保持部材の第２係合部の円弧形状の部分の曲率半径よりも大きい、請求項１〜３のいずれか１項に記載の液晶表示モジュール。
【請求項５】
前記導光板の第１係合部および前記保持部材の第２係合部の各々は、前記円弧形状の部分に加えて、前記導光板が膨張または収縮していない状態において互いに係合しながら当接するとともに前記基板の実装面に対して平行な方向に延びる第１平行部をさらに含む、請求項４に記載の液晶表示モジュール。
【請求項６】
前記第１係合部および前記第２係合部の少なくとも一方は、前記導光板が膨張または収縮している状態において互いに係合しながら当接するとともに前記基板の実装面に対して所定の角度θだけ前記実装面から離れる方向に傾斜する傾斜部を含む、請求項１〜３のいずれか１項に記載の液晶表示モジュール。
【請求項７】
前記第１係合部および前記第２係合部の各々は、前記導光板が膨張または収縮していない状態において互いに係合しながら当接するとともに前記基板の実装面に対して平行な方向に延びる第２平行部をさらに含む、請求項６に記載の液晶表示モジュール。
【請求項８】
前記導光板は、前記基板の実装面に対して平行な第１端面と、前記基板の実装面に対して垂直で、かつ、前記第１係合部が形成される第２端面とを含み、
前記導光板の第１端面の長手方向の長さをＬとし、前記導光板の第２端面に形成された前記第１係合部の前記第１端面からの距離をＨとした場合に、
前記所定の角度θは、θ＝Ａｒｃｔａｎ（Ｈ／Ｌ）に設定されている、請求項６または７に記載の液晶表示モジュール。
【請求項９】
液晶表示セルと、
光源が実装される実装面を有する基板と、
凹部または凸部のいずれか一方からなる第１係合部が形成され、前記光源から入射された光を前記液晶表示セルに導光する導光板と、
前記導光板の第１係合部と当接することにより係合する凹部または凸部のいずれか他方からなる第２係合部が形成され、前記基板および前記導光板を保持する保持部材とを含む液晶表示モジュールと、
前記液晶表示モジュールを内部に収容する筐体とを備え、
前記導光板の第１係合部および前記保持部材の第２係合部の少なくとも一方は、前記導光板が膨張または収縮した際に前記導光板の膨張または収縮に応じて前記導光板の第１係合部を前記基板の実装面に対して直交する方向に移動させることが可能な形状に形成されている、液晶表示装置。
【発明の詳細な説明】
【技術分野】
【０００１】
この発明は、液晶表示モジュールおよび液晶表示装置に関し、特に、光源から入射された光を液晶表示セルに導光する導光板と、導光板を保持する保持部材とを備える液晶表示モジュールおよび液晶表示装置に関する。
【背景技術】
【０００２】
従来、光源から入射された光を液晶表示セルに導光する導光板と、導光板を保持する保持部材とを備える液晶表示モジュールが知られている（たとえば、特許文献１参照）。
【０００３】
上記特許文献１には、冷陰極管（光源）から入射された光を液晶表示パネル（液晶表示セル）に導光する矩形形状の導光板と、導光板を保持するフレーム（保持部材）とを備える液晶表示装置が開示されている。この液晶表示装置では、導光板は、平板形状を有するように形成されており、導光板の一方端面と、一方端面に対向する他方端面とには、矩形形状の凹部が形成されている。また、この液晶表示装置では、フレームは、平板形状を有する導光板の各端面を取り囲むように構成されており、フレームの導光板の凹部に対応する部分には、矩形形状の凸部が形成されている。この液晶表示装置では、導光板の凹部とフレームの凸部とが係合されることにより、導光板とフレームとが接触状態で保持されている。なお、この液晶表示装置では、冷陰極管は、導光板の凹部が設けられていない端面に対向するように配置されている。
【先行技術文献】
【特許文献】
【０００４】
【特許文献１】特開２００８−３０５５７６号公報
【発明の概要】
【発明が解決しようとする課題】
【０００５】
しかしながら、上記特許文献１に記載の液晶表示装置では、冷陰極管（光源）の発熱や、液晶表示装置の置かれた温度条件および湿度条件の変化に起因して、導光板が膨張または収縮する場合があると考えられる。この場合、導光板が保持部材との係合部分を基点として冷陰極管側に伸縮するので、導光板の冷陰極管側の端面と冷陰極管との間の距離（クリアランス）が変化する。このように冷陰極管（光源）と導光板との間のクリアランスが変化すると、導光板に対する光の入光効率が変化するため、導光板から出射されるバックライト光の光学特性が不安定になるという問題点がある。
【０００６】
この発明は、上記のような課題を解決するためになされたものであり、この発明の１つの目的は、光源と導光板との間のクリアランスの変化量を低減することによりバックライト光の光学特性を安定化させることが可能な液晶表示モジュールおよび液晶表示装置を提供することである。
【課題を解決するための手段および発明の効果】
【０００７】
この発明の第１の局面による液晶表示モジュールは、液晶表示セルと、光源が実装される実装面を含む基板と、凹部または凸部のいずれか一方からなる第１係合部が形成され、光源から入射された光を液晶表示セルに導光する導光板と、導光板の第１係合部と当接することにより係合する凹部または凸部のいずれか他方からなる第２係合部が形成され、基板および導光板を保持する保持部材とを備え、導光板の第１係合部および保持部材の第２係合部の少なくとも一方は、導光板が膨張または収縮した際に導光板の膨張または収縮に応じて導光板の第１係合部を基板の実装面に対して直交する方向に移動させることが可能な形状に形成されている。
【０００８】
この発明の第１の局面による液晶表示モジュールでは、上記のように、導光板の第１係合部および保持部材の第２係合部の少なくとも一方を、導光板が膨張または収縮した際に導光板の膨張または収縮に応じて導光板の第１係合部を基板の実装面に対して直交する方向に移動させることが可能な形状に形成する。これにより、光源の発熱などに起因する導光板の膨張または収縮によって光源と導光板との間の距離（クリアランス）が変化した場合でも、その変化を打ち消すように導光板を基板の実装面に対して直交する方向に移動させることができるので、光源と導光板との間のクリアランスの変化量を低減することができる。その結果、導光板から出射されるバックライト光の光学特性を安定化させることができる。
【０００９】
上記第１の局面による液晶表示モジュールにおいて、好ましくは、導光板の第１係合部および保持部材の第２係合部の少なくとも一方は、導光板が膨張した際に導光板の膨張に応じて導光板の第１係合部を基板の実装面から離れる方向に移動させるとともに、導光板が収縮した際に導光板の収縮に応じて導光板の第１係合部を基板の実装面に近づく方向に移動させることが可能な形状に形成されている。このように構成すれば、導光板の膨張によって光源と導光板との間のクリアランスが小さくなった場合に、導光板の膨張に応じて導光板を基板の実装面（光源）から離れる方向に移動させることができる一方、導光板の収縮によって光源と導光板との間のクリアランスが大きくなった場合に、導光板の収縮に応じて導光板を基板の実装面（光源）に近づく方向に移動させることができる。これにより、光源と導光板との間のクリアランスの変化量を容易に低減することができるので、導光板から出射されるバックライト光の光学特性を容易に安定化させることができる。
【００１０】
上記第１の局面による液晶表示モジュールにおいて、好ましくは、導光板は、基板の実装面に対して上方に配置されており、導光板の第１係合部および保持部材の第２係合部の少なくとも一方の第１係合部と第２係合部とが互いに係合した際に導光板の自重により当接する部分が、導光板が膨張または収縮した際に導光板の膨張または収縮に応じて導光板の第１係合部を基板の実装面に対して上方または下方に移動させることが可能な形状の部分を含む。ここで、導光板が膨張も収縮もしていない状態において光源と導光板との間のクリアランスを略一定に保つためには、導光板を光源側に押圧しておく必要がある一方、本発明では、導光板の自重を利用して、導光板を光源側に容易に押圧することができる。すなわち、導光板を光源側に押圧するための付勢部材などを別途設ける必要がないので、導光板が膨張も収縮もしていない状態における光源と導光板との間のクリアランスを簡易な構成で略一定に保つことができる。
【００１１】
上記第１の局面による液晶表示モジュールにおいて、好ましくは、導光板の第１係合部および保持部材の第２係合部は、それぞれ、導光板が膨張または収縮している状態において互いに係合しながら当接する円弧形状の部分を含み、導光板の第１係合部の円弧形状の部分の曲率半径は、保持部材の第２係合部の円弧形状の部分の曲率半径よりも大きい。このように構成すれば、導光板が膨張または収縮している状態において、導光板の第１係合部の円弧形状の部分を保持部材の第２係合部の円弧形状の部分に沿って移動させることができるので、導光板の第１係合部を基板の実装面から離れる方向または近づく方向に容易に移動させることができる。
【００１２】
この場合、好ましくは、導光板の第１係合部および保持部材の第２係合部の各々は、円弧形状の部分に加えて、導光板が膨張または収縮していない状態において互いに係合しながら当接するとともに基板の実装面に対して平行な方向に延びる第１平行部をさらに含む。このように構成すれば、導光板が膨張も収縮もしていない状態において、導光板の第１係合部および保持部材の第２係合部の各々が有する基板の実装面に対して平行な方向に延びる第１平行部により、導光板と保持部材とを安定して接触状態で保持することができる。
【００１３】
上記第１の局面による液晶表示モジュールにおいて、好ましくは、第１係合部および第２係合部の少なくとも一方は、導光板が膨張または収縮している状態において互いに係合しながら当接するとともに基板の実装面に対して所定の角度θだけ実装面から離れる方向に傾斜する傾斜部を含む。このように構成すれば、導光板が膨張または収縮している状態において、第１係合部を、第１係合部および第２係合部の少なくとも一方が有する傾斜部に沿って移動させることができるので、導光板の第１係合部を基板の実装面から離れる方向または近づく方向に容易に移動させることができる。
【００１４】
この場合、好ましくは、第１係合部および第２係合部の各々は、導光板が膨張または収縮していない状態において互いに係合しながら当接するとともに基板の実装面に対して平行な方向に延びる第２平行部をさらに含む。このように構成すれば、導光板が膨張も収縮もしていない状態において、導光板の第１係合部および保持部材の第２係合部の各々が有する基板の実装面に対して平行な方向に延びる第２平行部により、導光板と保持部材とを安定して接触状態で保持することができる。
【００１５】
上記第１係合部および第２係合部の少なくとも一方が基板の実装面に対して所定の角度θだけ傾斜する傾斜部を含む液晶表示モジュールにおいて、好ましくは、導光板は、基板の実装面に対して平行な第１端面と、基板の実装面に対して垂直で、かつ、第１係合部が形成される第２端面とを含み、導光板の第１端面の長手方向の長さをＬとし、導光板の第２端面に形成された第１係合部の第１端面からの距離をＨとした場合に、所定の角度θは、θ＝Ａｒｃｔａｎ（Ｈ／Ｌ）に設定されている。このように所定の角度θを設定すれば、導光板が膨張または収縮している状態において、第１係合部を、第１係合部および第２係合部の少なくとも一方が有する傾斜部に沿って移動させることにより、光源と導光板との間のクリアランスを略一定に保つことができる。
【００１６】
この発明の第２の局面による液晶表示装置は、液晶表示セルと、光源が実装される実装面を有する基板と、凹部または凸部のいずれか一方からなる第１係合部が形成され、光源から入射された光を液晶表示セルに導光する導光板と、導光板の第１係合部と当接することにより係合する凹部または凸部のいずれか他方からなる第２係合部が形成され、基板および導光板を保持する保持部材とを含む液晶表示モジュールと、液晶表示モジュールを内部に収容する筐体とを備え、導光板の第１係合部および保持部材の第２係合部の少なくとも一方は、導光板が膨張または収縮した際に導光板の膨張または収縮に応じて導光板の第１係合部を基板の実装面に対して直交する方向に移動させることが可能な形状に形成されている。
【００１７】
この発明の第２の局面による液晶表示装置では、上記のように、液晶表示モジュールの導光板の第１係合部および保持部材の第２係合部の少なくとも一方を、導光板が膨張または収縮した際に導光板の膨張または収縮に応じて導光板の第１係合部を基板の実装面に対して直交する方向に移動させることが可能な形状に形成する。これにより、光源の発熱などに起因する導光板の膨張または収縮によって光源と導光板との間の距離（クリアランス）が変化した場合でも、その変化を打ち消すように導光板を基板の実装面に対して直交する方向に移動させることができるので、光源と導光板との間のクリアランスの変化量を低減することができる。その結果、導光板から出射されるバックライト光の光学特性を安定化させることができる。
【図面の簡単な説明】
【００１８】
【図１】本発明の第１〜第３実施形態による液晶テレビジョンの全体構成を示した斜視図である。
【図２】本発明の第１〜第３実施形態による液晶テレビジョンのテレビジョン本体の内部構成を示した分解斜視図である。
【図３】図２の１５０−１５０線に沿った断面図である。
【図４】本発明の第１〜第３実施形態による液晶表示モジュールのＬＥＤおよびガラスエポキシ基板の構成を示した斜視図である。
【図５】本発明の第１実施形態による液晶表示モジュールのリアフレームに保持された導光板、ガラスエポキシ基板およびＬＥＤを平面的に見た図である。
【図６】本発明の第１実施形態による液晶表示モジュールの導光板が膨張および収縮する際における導光板の移動動作を説明するための拡大平面図である。
【図７】本発明の第１実施形態による液晶表示モジュールのリアフレームの第２係合部を示した拡大斜視図である。
【図８】本発明の第２実施形態による液晶表示モジュールの導光板が膨張および収縮する際における導光板の移動動作を説明するための拡大平面図である。
【図９】本発明の第２実施形態による液晶表示モジュールのリアフレームに保持された導光板、ガラスエポキシ基板およびＬＥＤを平面的に見た図である。
【図１０】本発明の第３実施形態による液晶表示モジュールの導光板が膨張および収縮する際における導光板の移動動作を説明するための拡大平面図である。
【図１１】本発明の第３実施形態の変形例による液晶表示モジュールのリアフレームに保持された導光板、ガラスエポキシ基板およびＬＥＤを平面的に見た図である。
【図１２】本発明の第１〜第３実施形態の変形例による液晶表示モジュールのリアフレームに保持された導光板、ガラスエポキシ基板およびＬＥＤを平面的に見た図である。
【発明を実施するための形態】
【００１９】
以下、本発明の実施形態を図面に基づいて説明する。
【００２０】
（第１実施形態）
まず、図１〜図７を参照して、本発明の第１実施形態による液晶テレビジョン１００の構成について説明する。なお、液晶テレビジョン１００は、本発明の「液晶表示装置」の一例である。
【００２１】
本発明の第１実施形態による液晶テレビジョン１００は、図１に示すように、映像が表示される表示部２０を有するテレビジョン本体１０と、テレビジョン本体１０を下方から（矢印Ｚ２方向側から）支持するスタンド部材３０とを備えている。
【００２２】
図１および図２に示すように、テレビジョン本体１０は、樹脂からなるフロントキャビネット１１およびリアキャビネット１２と、表示部２０を構成する液晶表示セル６０を有する液晶表示モジュール４０とを含んでいる。なお、フロントキャビネット１１およびリアキャビネット１２は、本発明の「筐体」の一例である。
【００２３】
フロントキャビネット１１は、液晶テレビジョン１００の正面側（矢印Ｙ１方向側）に配置されている。このフロントキャビネット１１は、正面から見て（矢印Ｙ１方向側から見て）枠形状を有している。具体的には、フロントキャビネット１１は、正面から見て略矩形形状の外形を有するとともに、略矩形形状の開口部１１ａを有している。なお、開口部１１ａは、表示部２０（液晶表示モジュール４０の液晶表示セル６０）を露出させるために設けられている。
【００２４】
リアキャビネット１２は、液晶テレビジョン１００の背面側（矢印Ｙ２方向側）に配置されている。このリアキャビネット１２は、フロントキャビネット１１に嵌合するように構成されている。また、リアキャビネット１２は、正面から見て（矢印Ｙ１方向側から見て）略矩形形状の外形を有するとともに、後方（矢印Ｙ２方向側）に凹む凹形状に形成されている。
【００２５】
図２に示すように、液晶表示モジュール４０は、テレビジョン本体１０のフロントキャビネット１１およびリアキャビネット１２の内部に収容される。また、図３に示すように、液晶表示モジュール４０は、アルミなどの板金からなるフロントベゼル４１およびリアフレーム４２と、フロントベゼル４１とリアフレーム４２との間に配置されるモールドフレーム４３、バックライト部５０および液晶表示セル６０とを含んでいる。なお、リアフレーム４２は、本発明の「保持部材」の一例である。
【００２６】
図２および図３に示すように、フロントベゼル４１は、液晶表示モジュール４０の正面側（矢印Ｙ１方向側）に配置されている。このフロントベゼル４１は、フロントキャビネット１１の背面（矢印Ｙ２方向側の面）に取り付けられる。また、フロントベゼル４１は、正面から見て（矢印Ｙ１方向側から見て）略矩形形状の外形を有するとともに、略矩形形状の開口部４１ａを有している。具体的には、図３に示すように、フロントベゼル４１は、開口部４１ａを有する底部４１ｂと、底部４１ｂの外周部（Ｙ方向およびＺ方向の両端部）から底部４１ｂに対して略垂直方向（矢印Ｙ２方向）に延びる壁部４１ｃとを有している。なお、フロントベゼル４１の開口部４１ａは、液晶表示セル６０を露出させるために設けられている。また、フロントベゼル４１の開口部４１ａの開口面積は、フロントキャビネット１１の開口部１１ａよりも大きくなるように構成されている。
【００２７】
図２および図３に示すように、リアフレーム４２は、液晶表示モジュール４０の背面側（Ｙ２方向側）に配置されている。このリアフレーム４２は、図３および図５に示すように、正面から見て（矢印Ｙ１方向側から見て）略矩形形状の外形を有するとともに、後方（矢印Ｙ２方向側）に凹む凹形状に形成されている。具体的には、図３に示すように、リアフレーム４２は、開口を有しない板状の底部４２ａと、底部４２ａの外周部（Ｙ方向およびＺ方向の両端部）から底部４２ａに対して略垂直方向（矢印Ｙ１方向）に延びる板状の壁部４２ｂとを有している。なお、リアフレーム４２は、後述するガラスエポキシ基板５２および導光板５３などを保持するように構成されている。
【００２８】
図３に示すように、モールドフレーム４３は、フロントベゼル４１の底面（底部４１ｂの矢印Ｙ２方向側の面）および壁部４１ｃの内側面に接するように配置されている。このモールドフレーム４３は、開口部４３ａを有する底部４３ｂと、底部４３ｂの外周部（Ｙ方向およびＺ方向の両端部）から底部４３ｂに対して略垂直方向（矢印Ｙ２方向）に延びる壁部４３ｃとを有している。なお、モールドフレーム４３の底部４３ｂの開口部４３ａ周辺のフロントベゼル４１側の部分には、段差部４３ｄが設けられている。この段差部４３ｄとフロントベゼル４１との間には、上下方向（Ｚ方向）および左右方向（Ｘ方向）に延びる板状の液晶表示セル６０の外周部近傍（Ｙ方向およびＺ方向の両端部近傍）が挟み込まれている。また、モールドフレーム４３の壁部４３ｃの内側面は、リアフレーム４２の壁部４２ｂの外側面に接している。
【００２９】
図３に示すように、バックライト部５０は、リアフレーム４２の底面（底部４２ａの矢印Ｙ１方向側の面）とモールドフレーム４３の底面（底部４３ｂの矢印Ｙ２方向側の面）とが対向する領域に形成される空間の内部に保持されている。このバックライト部５０は、液晶表示セル６０の裏面（矢印Ｙ２方向側の面）に対して後方から（矢印Ｙ２方向側から）光を照射するように構成されている。具体的には、バックライト部５０は、光を発するＬＥＤ５１と、ＬＥＤ５１が実装されるガラスエポキシ基板５２と、ＬＥＤ５１から入射された光を液晶表示セル６０に導光する導光板５３と、導光板５３に入射された光を液晶表示セル６０側に反射する反射シート５４と、導光板５３から出射された光の輝度などを調整する光学シート５５とを備えている。なお、ＬＥＤ５１およびガラスエポキシ基板５２は、それぞれ、本発明の「光源」および「基板」の一例である。
【００３０】
図３に示すように、ＬＥＤ５１およびガラスエポキシ基板５２は、リアフレーム４２の下側（矢印Ｚ２方向側）の壁部４２ｂの内側面に取り付けられている。また、図４に示すように、ＬＥＤ５１は、ガラスエポキシ基板５２の実装面５２ａ（矢印Ｚ１方向側の面）上に、ガラスエポキシ基板５２の延びる長手方向（Ｘ方向）に沿って所定の間隔を隔てて複数実装されている。なお、ＬＥＤ５１とガラスエポキシ基板５２とは、リード端子５１ａを介して接続されている。
【００３１】
図３および図５に示すように、導光板５３は、液晶表示セル６０の裏面側（矢印Ｙ２方向側）に配置されているとともに、上下方向（Ｚ方向）および左右方向（Ｘ方向）に延びる略矩形形状の板状に形成されている。この導光板５３は、透光性を有するアクリルなどの樹脂からなる。また、導光板５３は、ガラスエポキシ基板５２と平行な光入射面５３ａ（矢印Ｚ２方向側の端面）を有している。この導光板５３の光入射面５３ａは、ガラスエポキシ基板５２の実装面５２ａ上のＬＥＤ５１（図４参照）と対向するように、ＬＥＤ５１に対して上方（矢印Ｚ１方向側）に所定の間隔（上下方向（Ｚ方向）の幅Ｗ１を有するクリアランスＳ１）を隔てて配置されている。なお、光入射面５３ａは、本発明の「第１端面」の一例である。
【００３２】
図３に示すように、反射シート５４は、表面（矢印Ｙ１方向側の面）が導光板５３の裏面（矢印Ｙ２方向側の面）に接するとともに、裏面（矢印Ｙ２方向側の面）がリアフレーム４２の底面（底部４２ａの矢印Ｙ１方向側の面）に接するように配置されている。なお、反射シート５４は、光反射性を有するＰＥＴ（ポリエチレンテレフタラート）などの樹脂からなる。
【００３３】
このような構成により、ＬＥＤ５１からの光は、導光板５３の光入射面５３ａに入射された後、反射シート５４による多重反射を繰り返しながら導光板５３の光出射面５３ｂ（矢印Ｙ１方向側の面）から出射される。そして、導光板５３の光出射面５３ｂから出射された光は、光学シート５５により輝度などが調整された後、液晶表示セル６０に向けて照射される。これにより、液晶表示セル６０に映像が表示される。
【００３４】
ここで、第１実施形態では、図５および図６に示すように、導光板５３の左右方向（Ｘ方向）の両側の端面（側端面５３ｃおよび５３ｄ）の上下方向（Ｚ方向）の中央部近傍には、リアフレーム４２の左右方向の両側の壁部４２ｂに対して反対側（以下、内側と呼ぶ）に凹む凹部からなる第１係合部５３０が形成されている。この第１係合部５３０は、導光板５３の側端面５３ｃおよび５３ｄの上下方向の中央部近傍が内側に切り欠かれることにより導光板５３に形成されている。なお、図５に示すように、導光板５３の側端面５３ｃおよび５３ｄは、ガラスエポキシ基板５２の実装面５２ａに対して垂直である。これら側端面５３ｃおよび５３ｄは、本発明の「第２端面」の一例である。
【００３５】
また、第１実施形態では、図５および図６に示すように、リアフレーム４２の底部４２ａの左右方向（Ｘ方向）の両側（以下、外側と呼ぶ）の上下方向（Ｚ方向）の中央部近傍には、導光板５３の上記凹部からなる第１係合部５３０に対応する形状の凸部からなる第２係合部４２０が形成されている。この第２係合部４２０は、図７に示すように、板金からなるリアフレーム４２（底部４２ａ）の外側の上下方向の中央部近傍の部分が切り起こされ、切り起こされた部分の上下方向の両端部が外側に湾曲されることによりリアフレーム４２（底部４２ａ）に一体的に形成されている。なお、第２係合部４２０は、底部４２ａに対して略垂直に（矢印Ｙ１方向側に）立ち上がるように形成されている。
【００３６】
第１実施形態では、導光板５３の第１係合部５３０およびリアフレーム４２の第２係合部４２０は、導光板５３が膨張または収縮した際に導光板５３の膨張または収縮に応じて導光板５３の第１係合部５３０をガラスエポキシ基板５２の実装面５２ａに対して直交する方向（Ｚ方向）に移動させることが可能な形状に形成されている。
【００３７】
以下、図６を参照して、導光板５３の第１係合部５３０およびリアフレーム４２の第２係合部４２０の形状について詳述する。なお、導光板５３の第１係合部５３０およびリアフレーム４２の第２係合部４２０は、それぞれ、図６に示すように、第１係合部５３０および第２係合部４２０の上下方向（Ｚ方向）の中央部を通って左右方向（Ｘ方向）に延びる直線ｌ１および直線ｍ１に対して略線対称になるように形成されている。
【００３８】
図６に示すように、導光板５３の第１係合部５３０は、ガラスエポキシ基板５２の実装面５２ａに対して平行な方向（Ｘ方向）に延びる平行部５３１と、曲率半径Ｒ１を有する円弧形状の円弧部５３２とを含む形状に形成されている。これら平行部５３１および円弧部５３２は、第１係合部５３０の直線ｌ１に対して両側に１組ずつ設けられている。また、平行部５３１の内側の端部と、円弧部５３２の外側の端部とは、互いに連結されている。また、直線ｌ１に対して上側（矢印Ｚ１方向側）に位置する円弧部５３２と、直線ｌ１に対して下側（矢印Ｚ２方向側）に位置する円弧部５３２とは、上下方向（Ｚ方向）に延びる連結部５３３を介して互いに連結されている。なお、平行部５３１は、本発明の「第１平行部」の一例である。
【００３９】
同様に、リアフレーム４２の第２係合部４２０は、ガラスエポキシ基板５２の実装面５２ａに対して平行な方向（Ｘ方向）に延びる平行部４２１と、曲率半径Ｒ２を有する円弧形状の円弧部４２２とを含む形状に形成されている。これら平行部４２１と円弧部４２２とは、第２係合部４２０の直線ｍ１に対して両側に１組ずつ設けられている。また、平行部４２１の内側の端部と、円弧部４２２の外側の端部とは、互いに連結されている。また、直線ｍ１に対して上側（矢印Ｚ１方向側）に位置する円弧部４２２と、直線ｍ１に対して下側（矢印Ｚ２方向側）に位置する円弧部４２２とは、上下方向（Ｚ方向）に延びる連結部４２３を介して互いに連結されている。なお、平行部４２１は、本発明の「第１平行部」の一例である。
【００４０】
なお、第１実施形態では、導光板５３の第１係合部５３０の円弧部５３２の曲率半径Ｒ１は、リアフレーム４２の第２係合部４２０の円弧部４２２の曲率半径Ｒ２よりも大きくなるように構成されている。また、導光板５３の第１係合部５３０の円弧部５３２の曲率半径Ｒ１およびリアフレーム４２の第２係合部４２０の円弧部４２２の曲率半径Ｒ２は、図６（ｃ）に示すように、導光板５３が左右方向（Ｘ方向）に最大限膨張した場合（最大膨張時）において、円弧部５３２と円弧部４２２との間の接線ｎの水平方向（Ｘ方向）に対する傾き角度が４５度となるように設定するのが好ましい。具体的には、導光板５３の第１係合部５３０の円弧部５３２の曲率半径Ｒ１およびリアフレーム４２の第２係合部４２０の円弧部４２２の曲率半径Ｒ２は、導光板５３の左右方向（Ｙ方向）の膨張量の最大値をΔとした場合に、Δ＝（２−√２）×（Ｒ１−Ｒ２）という式を満たすように設定するのが好ましい。
【００４１】
次に、図６を参照して、第１実施形態による導光板５３が膨張または収縮する際における導光板５３の上下方向（Ｚ方向）の移動動作について説明する。
【００４２】
まず、導光板５３が膨張も収縮もしていない状態（初期状態（図６（ａ）参照））においては、導光板５３はリアフレーム４２に固定されているので、導光板５３は移動していない。
【００４３】
この状態において、導光板５３が膨張すると、図６に示すように、導光板５３の第１係合部５３０の円弧部５３２がリアフレーム４２の第２係合部４２０の円弧部４２２に沿って上方（矢印Ｚ１方向）に移動することにより、導光板５３が上方に所定の距離（Ｄ１およびＤ２）移動する。そして、導光板５３が限界まで膨張した状態（最大膨張時（図６（ｃ）参照））において、導光板５３（第１係合部５３０）の移動が停止する。
【００４４】
同様に、導光板５３が限界まで膨張した状態（最大膨張時（図６（ｃ）参照））において、導光板５３が収縮すると、図６に示すように、導光板５３の第１係合部５３０の円弧部５３２がリアフレーム４２の第２係合部４２０の円弧部４２２に沿って下方（矢印Ｚ２方向）に移動することにより、導光板５３が下方に所定の距離（Ｄ２およびＤ１）移動する。そして、導光板５３が限界まで収縮した場合（初期状態（図６（ａ）参照））に、導光板５３（第１係合部５３０）の移動が停止する。
【００４５】
以上のように、導光板５３が膨張した際には、導光板５３の膨張に応じて、導光板５３の第１係合部５３０がガラスエポキシ基板５２の実装面５２ａから離れる方向（矢印Ｚ１方向）に移動する。また、導光板５３が収縮した際には、導光板５３の収縮に応じて、導光板５３の第１係合部５３０がガラスエポキシ基板５２の実装面５２ａに近づく方向（矢印Ｚ２方向）に移動する。これにより、導光板５３の膨張または収縮に起因して導光板５３とＬＥＤ５１との間のクリアランスＳ１（図３および図５参照）が変化した場合でも、導光板５３の膨張または収縮に応じて導光板５３（第１係合部５３０）が上下方向（Ｚ方向）に移動されるので、クリアランスＳ１の変化量が低減される。
【００４６】
第１実施形態では、上記のように、導光板５３の第１係合部５３０およびリアフレーム４２の第２係合部４２０を、導光板５３が膨張または収縮した際に導光板５３の膨張または収縮に応じて導光板５３の第１係合部５３０をガラスエポキシ基板５２の実装面５２ａに対して直交する方向（Ｚ方向）に移動させることが可能な形状に形成する。これにより、ＬＥＤ５１の発熱などに起因する導光板５３の膨張または収縮によってＬＥＤ５１と導光板５３との間の距離（クリアランスＳ１）が変化した場合でも、その変化を打ち消すように導光板５３をガラスエポキシ基板５２の実装面５２ａに対して直交する方向に移動させることができるので、ＬＥＤ５１と導光板５３との間のクリアランスＳ１の変化量を低減することができる。その結果、導光板５３から出射されるバックライト光の光学特性を安定化させることができる。
【００４７】
また、第１実施形態では、上記のように、導光板５３の第１係合部５３０およびリアフレーム４２の第２係合部４２０を、導光板５３が膨張した際に導光板５３の膨張に応じて導光板５３の第１係合部５３０をガラスエポキシ基板５２の実装面５２ａから離れる方向（矢印Ｚ１方向）に移動させるとともに、導光板５３が収縮した際に導光板５３の収縮に応じて導光板５３の第１係合部５３０をガラスエポキシ基板５２の実装面５２ａに近づく方向（矢印Ｚ２方向）に移動させることが可能な形状に形成する。
【００４８】
これにより、導光板５３の膨張によってＬＥＤ５１と導光板５３との間のクリアランスＳ１が小さくなった場合に、導光板５３の膨張に応じて導光板５３をガラスエポキシ基板５２の実装面５２ａ（ＬＥＤ５１）から離れる方向に移動させることができる一方、導光板５３の収縮によってＬＥＤ５１と導光板５３との間のクリアランスＳ１が大きくなった場合に、導光板５３の収縮に応じて導光板５３をガラスエポキシ基板５２の実装面５２ａ（ＬＥＤ５１）に近づく方向に移動させることができる。その結果、ＬＥＤ５１と導光板５３との間のクリアランスＳ１の変化量を容易に低減することができるので、導光板５３から出射されるバックライト光の光学特性を容易に安定化させることができる。
【００４９】
また、第１実施形態では、上記のように、導光板５３を、ガラスエポキシ基板５２の実装面５２ａに対して上方（矢印Ｚ１方向側）に配置する。また、導光板５３の第１係合部５３０およびリアフレーム４２の第２係合部４２０の第１係合部５３０と第２係合部４２０とが互いに係合した際に導光板５３の自重により当接する部分に、導光板５３が膨張または収縮した際に導光板５３の膨張または収縮に応じて導光板５３の第１係合部５３０をガラスエポキシ基板５２の実装面５２ａに対して上方（矢印Ｚ１方向）または下方（矢印Ｚ２方向）に移動させることが可能な形状の部分（円弧部５３２および円弧部４２２）を設ける。
【００５０】
ここで、導光板５３が膨張も収縮もしていない状態においてＬＥＤ５１と導光板５３との間のクリアランスＳ１を略一定に保つためには、導光板５３をＬＥＤ５１側（矢印Ｚ２方向側）に押圧しておく必要がある一方、第１実施形態では、導光板５３の自重を利用して、導光板５３をＬＥＤ５１側に容易に押圧することができる。すなわち、導光板５３をガラスエポキシ基板５２のＬＥＤ５１側に押圧するための付勢部材などを別途設ける必要がないので、導光板５３が膨張も収縮もしていない状態におけるＬＥＤ５１と導光板５３との間のクリアランスＳ１を簡易な構成で略一定に保つことができる。
【００５１】
また、第１実施形態では、上記のように、導光板５３の第１係合部５３０およびリアフレーム４２の第２係合部４２０のそれぞれに、導光板５３が膨張または収縮している状態において互いに係合しながら当接する円弧形状の部分（円弧部５３２および円弧部４２２）を設ける。また、導光板５３の第１係合部５３０の円弧部５３２の曲率半径Ｒ１を、リアフレーム４２の第２係合部４２０の円弧部４２２の曲率半径Ｒ２よりも大きくする。これにより、導光板５３が膨張または収縮している状態において、導光板５３の第１係合部５３０の円弧部５３２をリアフレーム４２の第２係合部４２０の円弧部４２２に沿って移動させることができるので、導光板５３の第１係合部５３０をガラスエポキシ基板５２の実装面５２ａから離れる方向（矢印Ｚ１方向）または近づく方向（矢印Ｚ２方向）に容易に移動させることができる。
【００５２】
また、第１実施形態では、上記のように、導光板５３の第１係合部５３０およびリアフレーム４２の第２係合部４２０のそれぞれに、円弧部５３２および円弧部４２２に加えて、導光板５３が膨張または収縮していない状態において互いに係合しながら当接するとともにガラスエポキシ基板５２の実装面５２ａに対して平行な方向（Ｘ方向）に延びる平行部５３１および平行部４２１を設ける。これにより、導光板５３が膨張も収縮もしていない状態において、導光板５３の第１係合部５３０およびリアフレーム４２の第２係合部４２０がそれぞれ有するガラスエポキシ基板５２の実装面５２ａに対して平行な方向に延びる平行部５３１および平行部４２１により、導光板５３とリアフレーム４２とを安定して接触状態で保持することができる。
【００５３】
（第２実施形態）
次に、図１〜図４、図８および図９を参照して、本発明の第２実施形態による液晶テレビジョン２００の構成について説明する。なお、液晶テレビジョン２００は、本発明の「液晶表示装置」の一例である。この第２実施形態では、導光板５３とリアフレーム４２とが互いに係合した際に当接する部分（図６参照）がガラスエポキシ基板５２の実装面５２ａに対して平行な部分（平行部５３１および平行部４２１）と円弧形状の部分（円弧部５３２および円弧部４２２）とにより構成される上記第１実施形態と異なり、導光板５６とリアフレーム４４とが互いに係合した際に当接する部分（図８参照）が実装面５２ａに対して所定の角度θ１だけ傾斜する部分（傾斜部５６１および傾斜部４４１）により構成される例について説明する。
【００５４】
第２実施形態による液晶テレビジョン２００は、図１および図２に示すように、液晶表示モジュール４２ａと、液晶表示モジュール４２ａを内部に収容するフロントキャビネット１１およびリアキャビネット１２とを備えている。また、図３に示すように、液晶表示モジュール４２ａは、フロントベゼル４１およびリアフレーム４４と、フロントベゼル４１とリアフレーム４４との間に配置されるモールドフレーム４３、バックライト部５０ａおよび液晶表示セル６０とを含んでいる。なお、リアフレーム４４は、本発明の「保持部材」の一例である。
【００５５】
図３に示すように、バックライト部５０ａは、光を発するＬＥＤ５１と、ＬＥＤ５１が実装されるガラスエポキシ基板５２と、ＬＥＤ５１から光入射面５６ａ（矢印Ｚ２方向側の端面）に入射された光を液晶表示セル６０に導光する導光板５６と、導光板５６に入射された光を液晶表示セル６０側に反射する反射シート５４と、導光板５６の光出射面５６ｂ（矢印Ｙ１方向側の面）から出射された光の輝度などを調整する光学シート５５とを備えている。なお、導光板５６の光入射面５６ａは、ガラスエポキシ基板５２の実装面５２ａに対して平行である。また、導光板５６の光入射面５６ａは、ガラスエポキシ基板５２の実装面５２ａ上のＬＥＤ５１（図４参照）と対向するように、ＬＥＤ５１に対して上方（矢印Ｚ１方向側）に所定の間隔（上下方向（Ｚ方向）の幅Ｗ２を有するクリアランスＳ２）を隔てて配置されている。この導光板５６の光入射面５６ａは、本発明の「第１端面」の一例である。
【００５６】
ここで、第２実施形態では、図８および図９に示すように、導光板５６の左右方向（Ｘ方向）の両側端面（側端面５６ｃおよび５６ｄ）の上下方向（Ｚ方向）の中央部近傍には、リアフレーム４４の左右方向の両側の壁部４４ｂに対して反対側（以下、内側と呼ぶ）に凹む凹部からなる第１係合部５６０が形成されている。また、リアフレーム４４の底部４４ａの左右方向の両側（以下、外側と呼ぶ）の上下方向の中央部近傍には、導光板５６の上記凹部からなる第１係合部５６０に対応する形状の凸部からなる第２係合部４４０が形成されている。なお、図９に示すように、導光板５６の側端面５６ｃおよび５６ｄは、ガラスエポキシ基板５２の実装面５２ａに対して垂直である。これら導光板５６の側端面５６ｃおよび５６ｄは、本発明の「第２端面」の一例である。
【００５７】
以下、導光板５６の第１係合部５６０およびリアフレーム４４の第２係合部４４０の形状について詳述する。なお、導光板５６の第１係合部５６０およびリアフレーム４４の第２係合部４４０は、それぞれ、図８に示すように、第１係合部５６０および第２係合部４４０の上下方向（Ｚ方向）の中央部を通って左右方向（Ｘ方向）に延びる直線ｌ２および直線ｍ２に対して略線対称になるように形成されている。
【００５８】
図８に示すように、導光板５６の第１係合部５６０は、ガラスエポキシ基板５２の実装面５２ａに対して所定の角度θ１だけ実装面５２ａから離れる方向（矢印Ｚ１方向）に傾斜する傾斜部５６１により構成される形状に形成されている。この傾斜部５６１は、第１係合部５６０の直線ｌ２に対して両側に１つずつ設けられている。なお、直線ｌ２に対して上側（矢印Ｚ１方向側）に位置する傾斜部５６１と、直線ｌ２に対して下側（矢印Ｚ２方向側）に位置する傾斜部５６１とは、上下方向（Ｚ方向）に延びる連結部５６２を介して互いに連結されている。
【００５９】
同様に、リアフレーム４４の第２係合部４４０は、ガラスエポキシ基板５２の実装面５２ａに対して所定の角度θ１だけ実装面５２ａから離れる方向（矢印Ｚ１方向）に傾斜する傾斜部４４１により構成される形状に形成されている。この傾斜部４４１は、第２係合部４４０の直線ｍ１に対して両側に１つずつ設けられている。なお、直線ｌ２に対して上側（矢印Ｚ１方向側）に位置する傾斜部４４１と、直線ｌ２に対して下側（矢印Ｚ２方向側）に位置する傾斜部４４１とは、上下方向（Ｚ方向）に延びる連結部４４２を介して互いに連結されている。
【００６０】
なお、第２実施形態では、導光板５６の第１係合部５６０の傾斜部５６１およびリアフレーム４４の第２係合部４４０の傾斜部４４１のガラスエポキシ基板５２の実装面５２ａに対する傾斜角度θ１は、導光板５６の光入射面５６ａの長手方向（Ｘ方向）の長さをＬ１（図９参照）とし、導光板５６の側端面５６ｃおよび５６ｄに形成された第１係合部５６０の下端部（矢印Ｚ２方向の端部）の光入射面５６ａからの距離をＨ１（図９参照）とした場合に、θ１＝Ａｒｃｔａｎ（Ｈ１／Ｌ１）に設定するのが好ましい。
【００６１】
なお、第２実施形態のその他の構成は、上記第１実施形態と同様である。
【００６２】
次に、図８を参照して、第２実施形態による導光板５６が膨張または収縮する際における導光板５６の上下方向（Ｚ方向）の移動動作について説明する。
【００６３】
まず、導光板５６が膨張も収縮もしていない状態（初期状態（図８（ａ）参照））においては、導光板５６はリアフレーム４２に固定されているので、導光板５６は移動していない。
【００６４】
この状態において、導光板５６が膨張すると、図８に示すように、導光板５６の第１係合部５６０の傾斜部５６１がリアフレーム４４の第２係合部４４０の傾斜部４４１に沿って上方（矢印Ｚ１方向）に移動することにより、導光板５６が上方に所定の距離（Ｄ３およびＤ４）移動する。そして、導光板５６が限界まで膨張した状態（最大膨張時（図８（ｃ）参照））において、導光板５６（第１係合部５６０）の移動が停止する。
【００６５】
同様に、導光板５６が限界まで膨張した状態（最大膨張時（図８（ｃ）参照））において、導光板５６が収縮すると、図８に示すように、導光板５６の第１係合部５６０の傾斜部５６１がリアフレーム４４の第２係合部４４０の傾斜部４４１に沿って下方（矢印Ｚ２方向）に移動することにより、導光板５６が下方に所定の距離（Ｄ４およびＤ３）移動する。そして、導光板５６が限界まで収縮した場合（初期状態（図８（ａ）参照））に、導光板５６（第１係合部５６０）の移動が停止する。
【００６６】
以上のように、導光板５６が膨張した際には、導光板５６の膨張に応じて、導光板５６の第１係合部５６０がガラスエポキシ基板５２の実装面５２ａから離れる方向（矢印Ｚ１方向）に移動する。また、導光板５６が収縮した際には、導光板５６の収縮に応じて、導光板５６の第１係合部５６０がガラスエポキシ基板５２の実装面５２ａに近づく方向（矢印Ｚ２方向）に移動する。これにより、導光板５６の膨張または収縮に起因して導光板５６とＬＥＤ５１との間のクリアランスＳ２（図３および図９参照）が変化した場合でも、導光板５６の膨張または収縮に応じて導光板５６（第１係合部５６０）が上下方向（Ｚ方向）に移動されるので、クリアランスＳ２の変化が打ち消される。
【００６７】
第２実施形態では、上記のように、導光板５６０の第１係合部５６０およびリアフレーム４４の第２係合部４４０のそれぞれに、導光板５６が膨張または収縮している状態において互いに係合しながら当接するとともにガラスエポキシ基板５２の実装面５２ａに対して所定の角度θ１だけ実装面５２ａから離れる方向に傾斜する傾斜部５６１および傾斜部４４１を設ける。これにより、導光板５６が膨張または収縮している状態において、第１係合部５６０を、第１係合部５６０および第２係合部４４０のそれぞれが有する傾斜部５６１および傾斜部４４１に沿って移動させることができるので、導光板５６の第１係合部５６０をガラスエポキシ基板５２の実装面５２ａから離れる方向（矢印Ｚ１方向）または近づく方向（矢印Ｚ２方向）に容易に移動させることができる。
【００６８】
また、第２実施形態では、上記のように、導光板５６のガラスエポキシ基板５２の実装面５２ａに対して平行な光入射面５６ａの長手方向（Ｘ方向）の長さをＬ１とし、導光板５６の左右方向（Ｘ方向）の両側端面（側端面５６ｃおよび５６ｄ）に形成された第１係合部５６０の光入射面５６ａからの距離をＨ１とした場合に、所定の角度θ１を、θ１＝Ａｒｃｔａｎ（Ｈ１／Ｌ２）に設定する。このように所定の角度θ１を設定することにより、導光板５６が膨張または収縮している状態において、第１係合部５６０を、第１係合部５６０および第２係合部４４０のそれぞれが有する傾斜部５６１および傾斜部４４１に沿って移動させることにより、導光板５６とＬＥＤ５１との間のクリアランスＳ２を略一定に保つことができる。
【００６９】
なお、第２実施形態のその他の効果は、上記第１実施形態と同様である。
【００７０】
（第３実施形態）
次に、図１〜図４、図１０および図１１を参照して、本発明の第３実施形態による液晶テレビジョン３００の構成について説明する。なお、液晶テレビジョン３００は、本発明の「液晶表示装置」の一例である。この第３実施形態では、導光板５６とリアフレーム４４とが互いに係合した際に当接する部分（図８参照）がガラスエポキシ基板５２の実装面５２ａ（図４参照）に対して所定の角度θ１だけ傾斜する部分（傾斜部５６１および傾斜部４４１）のみにより構成される第２実施形態と異なり、導光板５７とリアフレーム４５とが互いに係合した際に当接する部分（図１０参照）が実装面５２ａに対して所定の角度θ２だけ傾斜する部分（傾斜部５７１および傾斜部４５１）と実装面５２ａに対して平行な部分（平行部５７２および平行部４５２）とにより構成される例について説明する。
【００７１】
第３実施形態による液晶テレビジョン３００は、図１および図２に示すように、液晶表示モジュール４０ｂと、液晶表示モジュール４０ｂを内部に収容するフロントキャビネット１１およびリアキャビネット１２とを備えている。また、図３に示すように、液晶表示モジュール４０ｂは、フロントベゼル４１およびリアフレーム４５と、フロントベゼル４１とリアフレーム４５との間に配置されるモールドフレーム４３、バックライト部５０ｂおよび液晶表示セル６０とを含んでいる。なお、リアフレーム４５は、本発明の「保持部材」の一例である。
【００７２】
図３に示すように、バックライト部５０ｂは、光を発するＬＥＤ５１と、ＬＥＤ５１が実装されるガラスエポキシ基板５２と、ＬＥＤ５１から光入射面５７ａ（矢印Ｚ２方向側の端面）に入射された光を液晶表示セル６０に導光する導光板５７と、導光板５７に入射された光を液晶表示セル６０側に反射する反射シート５４と、導光板５７の光出射面５７ｂ（矢印Ｙ１方向側の面）から出射された光の輝度などを調整する光学シート５５とを備えている。なお、導光板５７の光入射面５７ａは、ガラスエポキシ基板５２の実装面５２ａに対して平行である。また、導光板５７の光入射面５７ａは、ガラスエポキシ基板５２の実装面５２ａ上のＬＥＤ５１（図４参照）と対向するように、ＬＥＤ５１に対して上方（矢印Ｚ１方向側）に所定の間隔（上下方向（Ｚ方向）の幅Ｗ３を有するクリアランスＳ３）を隔てて配置されている。この導光板５７の光入射面５７ａは、本発明の「第１端面」の一例である。
【００７３】
ここで、第３実施形態では、図１０および図１１に示すように、導光板５７の左右方向（Ｘ方向）の両側端面（側端面５７ｃおよび５７ｄ）の上下方向（Ｚ方向）の中央部近傍には、リアフレーム４５の左右方向の両側の壁部４５ｂに対して反対側（以下、内側と呼ぶ）に凹む凹部からなる第１係合部５７０が形成されている。また、リアフレーム４５の左右方向の両側（以下、外側と呼ぶ）の上下方向の中央部近傍には、導光板５７の上記凹部からなる第１係合部５７０に対応する形状の凸部からなる第２係合部４５０が形成されている。なお、図１１に示すように、導光板５７の側端面５７ｃおよび５７ｄは、ガラスエポキシ基板５２の実装面５２ａに対して垂直である。これら導光板５７の側端面５７ｃおよび５７ｄは、本発明の「第２端面」の一例である。
【００７４】
以下、導光板５７の第１係合部５７０およびリアフレーム４５の第２係合部４５０の形状について詳述する。なお、図１０に示すように、導光板５７の第１係合部５７０およびリアフレーム４５の第２係合部４５０は、それぞれ、第１係合部５７０および第２係合部４５０の上下方向（Ｚ方向）の中央部を通って左右方向（Ｘ方向）に延びる直線ｌ３および直線ｍ３に対して略線対称になるように形成されている。
【００７５】
図１０に示すように、導光板５７の第１係合部５７０の直線ｌ３に対して上側（矢印Ｚ１方向側）の部分は、ガラスエポキシ基板５２の実装面５２ａに対して所定の角度θ２だけ実装面５２ａから離れる方向（矢印Ｚ１方向）に傾斜する傾斜部５７１と、ガラスエポキシ基板５２の実装面５２ａに対して平行な方向（Ｘ方向）に延びる平行部５７２とを含む形状に形成されている。これら傾斜部５７１および平行部５７２は、第１係合部５７０の直線ｌ３に対して両側に１組ずつ設けられている。また、平行部５７２の外側の端部と、傾斜部５７１の内側の端部とは、互いに連結されている。また、直線ｌ３に対して上側に位置する平行部５７２と、直線ｌ３に対して下側に位置する平行部５７２とは、上下方向（Ｚ方向）に延びる連結部５７３を介して互いに連結されている。なお、平行部５７２は、本発明の「第２平行部」の一例である。
【００７６】
同様に、リアフレーム４５の第２係合部４５０の直線ｍ３に対して上側（矢印Ｚ１方向側）の部分は、ガラスエポキシ基板５２の実装面５２ａに対して所定の角度θ２だけ実装面５２ａから離れる方向（矢印Ｚ１方向）に傾斜する傾斜部４５１と、ガラスエポキシ基板５２の実装面５２ａに対して平行な方向（Ｘ方向）に延びる平行部４５２とを含む形状に形成されている。これら傾斜部４５１および平行部４５２は、第２係合部の直線ｍ３に対して両側に１組ずつ設けられている。また、平行部４５２の外側の端部と、傾斜部４５１の内側の端部とは、互いに連結されている。また、直線ｌ３に対して上側に位置する平行部４５２と、直線ｌ３に対して下側に位置する平行部４５２とは、上下方向（Ｚ方向）に延びる連結部４５３を介して連結されている。なお、平行部４５２は、本発明の「第２平行部」の一例である。
【００７７】
なお、第３実施形態では、導光板５７の第１係合部５７０の傾斜部５７１およびリアフレーム４５の第２係合部４５０の傾斜部４５１のガラスエポキシ基板５２の実装面５２ａに対する傾斜角度θ２は、導光板５７の光入射面５７ａの長手方向（Ｘ方向）の長さをＬ２（図１１参照）とし、導光板５７の側端面５７ｃおよび５７ｄに形成された第１係合部５７０の下端部（矢印Ｚ２方向の端部）の光入射面５７ａからの距離をＨ２（図１１参照）とした場合に、θ２＝Ａｒｃｔａｎ（Ｈ２／Ｌ２）に設定するのが好ましい。
【００７８】
なお、第３実施形態のその他の構成は、上記第２実施形態と同様である。
【００７９】
次に、図１０を参照して、第３実施形態による導光板５７が膨張または収縮する際における導光板５７の上下方向（Ｚ方向）の移動動作について説明する。
【００８０】
まず、導光板５７が膨張も収縮もしていない状態（初期状態（図１０（ａ）参照））においては、導光板５７はリアフレーム４５に固定されているので、導光板５７は移動していない。
【００８１】
この状態において、導光板５７が膨張すると、図１０に示すように、導光板５７の第１係合部５７０の傾斜部５７１がリアフレーム４５の第２係合部４５０の傾斜部４５１に沿って上方（矢印Ｚ１方向）に移動することにより、導光板５７が上方に所定の距離（Ｄ５およびＤ６）移動する。そして、導光板５７が限界まで膨張した状態（最大膨張時（図１０（ｃ）参照））において、導光板５７（第１係合部５７０）の移動が停止する。
【００８２】
同様に、導光板５７が限界まで膨張した状態（最大膨張時（図１０（ｃ）参照））において、導光板５７が収縮すると、図１０に示すように、導光板５７の第１係合部５７０の傾斜部５７１がリアフレーム４５の第２係合部４５０の傾斜部４５１に沿って下方（矢印Ｚ２方向）に移動することにより、導光板５７が下方に所定の距離（Ｄ６およびＤ５）移動する。そして、導光板５７が限界まで収縮した場合（初期状態（図１０（ａ）参照））に、導光板５７（第１係合部５７０）の移動が停止する。
【００８３】
以上のように、導光板５７が膨張した際には、導光板５７の膨張に応じて、導光板５７の第１係合部５７０がガラスエポキシ基板５２の実装面５２ａから離れる方向（矢印Ｚ１方向）に移動する。また、導光板５７が収縮した際には、導光板５７の収縮に応じて、導光板５７の第１係合部５７０がガラスエポキシ基板５２の実装面５２ａに近づく方向（矢印Ｚ２方向）に移動する。これにより、導光板５７の膨張または収縮に起因して導光板５７とＬＥＤ５１との間のクリアランスＳ３（図３および図１１参照）が変化した場合でも、導光板５７の膨張または収縮に応じて導光板５７（第１係合部５７０）が上下方向（Ｚ方向）に移動されるので、クリアランスＳ３の変化が打ち消される。
【００８４】
第３実施形態では、上記のように、導光板５７の第１係合部５７０およびリアフレーム４５の第２係合部４５０のそれぞれに、導光板５７が膨張または収縮していない状態において互いに係合しながら当接するとともにガラスエポキシ基板５２の実装面５２ａに対して平行な方向（Ｘ方向）に延びる平行部５７２および平行部４５２を設ける。これにより、導光板５７が膨張も収縮もしていない状態において、導光板５７の第１係合部５７０およびリアフレーム４５の第２係合部４５０の各々が有するガラスエポキシ基板５２の実装面５２ａに対して平行な方向（Ｘ方向）に延びる平行部５７２および平行部４５２により、導光板５７とリアフレーム４５とを安定して接触状態で保持することができる。
【００８５】
なお、第３実施形態のその他の効果は、上記第２実施形態と同様である。
【００８６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８７】
たとえば、上記第１〜第３実施形態では、導光板の第１係合部を凹部により構成するとともに、リアフレームの第２係合部を凸部により構成する例を示したが、本発明はこれに限らない。本発明では、図１２に示す変形例のように、導光板５８の第１係合部５８０を凸部により構成するとともに、リアフレーム４６の第２係合部４６０を凹部により構成してもよい。この変形例では、図１２に示すように、導光板５８の左右方向（Ｘ方向）の両側端面に、リアフレーム４６の壁部４６ｂ側に向かって突出する凸部からなる第１係合部５８０が形成されている。また、この変形例では、上記第１実施形態による第２係合部４２０と同様の形状の凸部４６０ａが、リアフレーム４６の底部４６ａの左右方向（Ｘ方向）の両側に上下方向（Ｚ方向）に２つずつ並んで配置されており、これら２つの凸部４６０ａの間の空間に形成される凹部からなる第２係合部４６０に、導光板５８の第１係合部５８０が係合されている。
【００８８】
また、上記第１〜第３実施形態では、導光板の第１係合部およびリアフレームの第２係合部の両方を、導光板が膨張または収縮した際に導光板の膨張または収縮に応じて導光板の第１係合部を基板の実装面に対して直交する方向に移動させることが可能な形状に形成する例を示したが、本発明はこれに限らない。本発明では、第１係合部および第２係合部の一方を、導光板が膨張または収縮した際に導光板の膨張または収縮に応じて導光板の第１係合部を基板の実装面に対して直交する方向に移動させることが可能な形状に形成すれば、第１係合部および第２係合部の他方をたとえば矩形形状に形成してもよい。
【００８９】
また、上記第１〜第３実施形態では、導光板の第１係合部およびリアフレームの第２係合部の第１係合部と第２係合部とが互いに係合した際に導光板の自重により当接する部分だけでなく、それ以外の部分にも、導光板が膨張または収縮した際に導光板の膨張または収縮に応じて第１係合部を上方または下方に移動させることが可能な形状の部分を設ける例を示した（たとえば、第１実施形態では、第１係合部５３０および第２係合部４２０のそれぞれ直線ｌ１およびｍ１（図６参照）に対して上側（矢印Ｚ１方向側）の部分だけでなく、下側（Ｚ２方向側）の部分にも円弧部５３２および円弧部４２２を設けた）が、本発明はこれに限らない。本発明では、導光板の第１係合部およびリアフレームの第２係合部のうち、第１係合部と第２係合部とが互いに係合した際に導光板の自重により当接する部分にのみ、導光板が膨張または収縮した際に導光板の膨張または収縮に応じて第１係合部を上方または下方に移動させることが可能な形状の部分を設ければよい。
【００９０】
また、上記第１〜第３実施形態では、導光板の左右方向の両側端面の上下方向の中央部近傍に第１係合部を形成するとともに、リアフレームの左右方向の両側の上下方向の中央部近傍に第２係合部を形成する例を示したが、本発明はこれに限らない。本発明では、導光板の左右方向の両側端面の上端部近傍または下端部近傍に第１係合部を形成するとともに、リアフレームの左右方向の両側の上端部近傍または下端部近傍に第２係合部を形成してもよい。
【００９１】
また、上記第１〜第３実施形態では、第１係合部および第２係合部をそれぞれ導光板およびリアフレームに一体的に形成する例を示したが、本発明はこれに限らない。本発明では、導光板およびリアフレームとは別個に設けた第１係合部および第２係合部により、導光板とリアフレームとを係合させてもよい。
【００９２】
また、上記第１〜第３実施形態では、本発明を液晶表示装置としての液晶テレビジョンに適用する例を示したが、本発明はこれに限らない。本発明は、ＰＣ（Ｐｅｒｓｏｎａｌ  Ｃｏｍｐｕｔｅｒ）のモニタなどの他の液晶表示装置にも適用可能である。
【符号の説明】
【００９３】
１１  フロントキャビネット
１２  リアキャビネット
４０、４０ａ、４０ｂ  液晶表示モジュール
４２、４４、４５、４６  リアフレーム（保持部材）
５１  ＬＥＤ（光源）
５２  ガラスエポキシ基板（基板）
５２ａ  実装面
５３、５６、５７、５８  導光板
５３ａ  光入射面（第１端面）
５３ｃ、５３ｄ、５６ｃ、５６ｄ、５７ｃ、５７ｄ  側端面（第２端面）
６０  液晶表示セル
１００、２００、３００  液晶テレビジョン（液晶表示装置）
４２０、４４０、４５０、４６０  第２係合部
４２１  平行部（第１平行部）
４２２  円弧部
４４１、４５１  傾斜部
４４２、４５２  平行部（第２平行部）
５３０、５６０、５７０、５８０  第１係合部
５３１  平行部（第１平行部）
５３２  円弧部
５６１、５７１  傾斜部
５６２、５７２  平行部（第２平行部）
【図１】
2012208239.tif 000003
【図２】
2012208239.tif 000004
【図３】
2012208239.tif 000005
【図４】
2012208239.tif 000006
【図５】
2012208239.tif 000007
【図６】
2012208239.tif 000008
【図７】
2012208239.tif 000009
【図８】
2012208239.tif 000010
【図９】
2012208239.tif 000011
【図１０】
2012208239.tif 000012
【図１１】
2012208239.tif 000013
【図１２】
2012208239.tif 000014